【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
温血動物の被験者に関する状態及び／又はステータス情報又はその変化を光学的に測定するための方法であって、
ａ．VCSEL（垂直空洞面発光レーザ）又はダイオードレーザによって被験者の皮膚又は組織の一部を照射して、被験者の移動する赤血球（RBCs）から部分的又は完全にコヒーレントな光を散乱させ、散乱光時間依存性光学応答を誘発し、
ｂ．誘発された散乱光時間依存性光学応答を表現する電気シグナルを生成するために、光検出器によって散乱光を受け取り、
ｃ．散乱光光学応答表現電気シグナル又はその導出シグナルを処理して、１つ又は複数の血液せん断速度表現（BSRD）シグナルを計算し、各BSRDシグナルは対応する周波数選択プロファイルによって特徴付けられ、
ｄ．BSRDシグナルグループのBSRDシグナルの特性を電子的に解析し、
ｅ．周波数間隔特異的せん断速度表現シグナルの電子的解析の結果に従って、状態及び／又はステータス情報又はその変化を解析結果から計算すること、を含み、
i．BSRDシグナルの周波数選択プロファイルが動的に計算され、BSRD（s）内の所定の非拍動性生理学的シグナルの顕著性を適応させて最大にすることを含み、及び／又は
ii．状態及び／又はステータス情報の計算を動的に実行することを含み、これによりBSRDシグナルに割り当てられた重みがBSRDシグナルの重みを増加させるように適応的に決定され、当該BSRDシグナルは、その周波数選択プロファイルが所定の非拍動性生理学的シグナルのより大きな顕著性に対応しているBSRDシグナルの重み付けの値で、その周波数選択プロファイルが所定の非拍動性生理学的シグナルのより大きな顕著性に対応している、方法。
【請求項２】
請求項１に記載の方法であって、状態及び／又はステータス情報が、ストレス状態、心血管適合性、疼痛状態、疲労状態、ストレス耐性、ストレス要因又はストレス耐性の日内変動、及び無呼吸事象の少なくとも１つを含む方法。
【請求項３】
請求項１〜２のいずれか１項に記載の方法であって、前記所定の非拍動性生理学的シグナルが周期的／振動性シグナルである方法。
【請求項４】
温血動物の被験者について状態及び／又はステータス情報又はその中の変化を光学的に測定する方法であって、
a．被験者の皮膚又は組織の一部をVCSEL（垂直空洞面発光レーザ）又はダイオードレーザによって照射して、被験者の移動する赤血球（RBCs）により部分的又は完全にコヒーレントな光を散乱させて散乱光時間依存性光学応答を誘導し、
ｂ．誘導された散乱光時間依存性光学応答を表現する電気シグナルを生成するために、光検出器によって散乱光を受け取り、
c．散乱光光学応答表現電気シグナル又はその導出シグナルを処理して、それより１つ又は複数の血液せん断速度表現（BSRD）シグナルを計算し、各BSRDシグナルはそれぞれに対応する周波数選択プロファイルによって特徴付けられ、
d．BSRDシグナル群のBSRDシグナルの特性を電子的に解析して、BSRD内の生理学的シグナルの顕著性を定量化し、BSRDは、メイヤー波、神経原性シグナル及び筋原性を含む群から選択され、
ｅ．顕著性の定量化の結果から、状態及び／又はステータス情報又はその変化を計算することを含む、方法。
【請求項５】
温血動物の被験者について状態及び／又はステータス情報又はその中の変化を光学的に測定する方法であって、
a．被験者の皮膚又は組織の一部をVCSEL（垂直空洞面発光レーザ）又はダイオードレーザによって照射して、被験者の移動する赤血球（RBCs）により部分的又は完全にコヒーレントな光を散乱させて散乱光時間依存性光学応答を誘導し、
ｂ．誘導された散乱光時間依存性光学応答を表現する電気シグナルを生成するために、光検出器によって散乱光を受け取り
c．散乱光光学応答表現電気シグナル又はその導出シグナルを処理して、それより非拍動性の血液せん断速度表現（BSRD）シグナルを計算し、各BSRDシグナルはそれぞれに対応する周波数選択プロファイルによって特徴付けられ、
d．非拍動性BSRDシグナルを確率論的解析又は静止状態解析に供してBSRDシグナルの静止／非静止状態を定量し、
ｅ．状態及び／又はステータス情報又はその変化を確率論的解析及び／又は静止状態解析の結果により計算する、方法。
【請求項６】
請求項１〜５のいずれか１項に記載の方法であって、当該方法が
i．１つ又は複数の非拍動性候補BSRDシグナルが次のようにスコアされ：
（a）より大きいシグナルエネルギー及びより低い拍動性シグナル寄与が、評価された非拍動性候補BSRDシグナルの品質スコアを増加させ、且つ
（b）逆に、より低いシグナルエネルギー及びより大きな拍動性シグナル寄与が、評価された非拍動性候補BSRDシグナルの品質スコアを低下させ、
ii．被験者状態分類操作は、より高いスコアを有する候補BSRDシグナルにより大きな重みを割り当て、より低いスコアを有する候補BSRDシグナルにより低い重みを割り当てるように動的に実行されるように適応的に実行され、
i.拍動性BSRDシグナルもまた、散乱光光学応答表現電気シグナル又はその導出シグナルから生成され、
ii. 拍動性BSRDシグナルと、非拍動性BSRDシグナルの確率論的及び／又は静止状態解析の結果との両方の特性に従って、被験者状態分類操作が実行され、
iii.拍動性BSRDシグナルは、その中の血圧波形特性の顕著性に従って評価され、
iv.非拍動性BSRDシグナルは、その周波数選択プロファイルが動的に調整されるように動的に計算される、方法。
【請求項７】
温血動物の被験者について状態及び／又はステータス情報又はその中の変化を光学的に測定する方法であって、
a．被験者の皮膚又は組織の一部をVCSEL（垂直空洞面発光レーザ）又はダイオードレーザによって照射して、被験者の移動する赤血球（RBCs）により部分的又は完全にコヒーレントな光を散乱させて散乱光時間依存性光学応答を誘導し、
ｂ．誘導された散乱光時間依存性光学応答又はそのａｃ成分を表現する電気シグナルを生成するために、光検出器によって散乱光を受け取り
ｃ．散乱光光学応答表現電気シグナル又はその導出シグナルを処理し、これよりBSRDシグナル群から選択される少なくとも２つ又は少なくとも３つ又は少なくとも４つの血液せん断速度表現（BSRD）シグナルを計算し、各血液速度表現BSRDシグナルは異なる周波数選択プロファイルにより特徴付けられ、当該BSRDシグナル群は次のシグナルを含み：（i）[sub２００Hz、〜３００Hz]BSRDシグナル;（ii）[〜３００Hz、〜１０００Hz]BSRDシグナル;（iii）[〜１０００Hz、〜４０００Hz] BSRDシグナル、及び（iv）[〜４０００Hz、zHz]（z> = ７,０００）BSRDシグナル、
ｄ．BSRDシグナル群の少なくとも２つ又は少なくとも３つ又は少なくとも４つのBSRDシグナルの特性を電子的に解析し、
ｅ．少なくとも２つ又は少なくとも３つ又は少なくとも４つのBSRDシグナルを電子的に解析した結果に従って、状態及び／又はステータス情報又はその中の変化を計算することを含む、方法。
【請求項８】
温血動物に関する状態及び／又はステータス情報又はその中の変化を光学的に取得する機械学習に基づく方法であって、
a．カメラにより被験者の行動パターンをモニターし、及び／又はグラフィカルユーザインタフェースを介してデータを受信し、及び／又はユーザと広告とのインタラクション及び／又はユーザのオーディオ出力に基づくモニタリングを行い、
ｂ．被験者の皮膚又は組織の一部をVCSEL（垂直空洞面発光レーザ）又はダイオードレーザにより照射して、被験者の移動する赤血球（RBCs）により部分的又は完全にコヒーレントな光を散乱させ、散乱光時間依存性光学応答を誘導し、
ｃ．光検出器によって散乱光を受信して、誘導された散乱光時間依存性光学応答を表現する電気シグナルを生成し、
ｄ．散乱光光学応答表現電気シグナル又はその導出シグナルを処理してこれより１つ又は複数の血液せん断速度表現（BSRD）シグナルを計算し、各BSRDシグナルは対応の周波数選択プロファイルにより特徴付けられるものであり、
ｅ．（i）ステップ（ａ）の被験者の行動パターンのモニタリングの結果と（ii）BSRDシグナルの特性との間の相関に従って、BSRDシグナル由来の入力に従って、被験者のストレス状態（例えば、ストレス要因の種類、ストレスのレベル）、ムード状態、ストレス耐性、及び心血管の適合性状態のうち少なくとも１つの被験者状態を分類可能な被験者状態分類器を訓練し、
ｆ．後に、訓練された分類指標を使用して、BSRDシグナルから状態及び／又はステータス情報又はその中の変化から計算することを含む、方法。
【請求項９】
状態及び／又はステータス情報又はその中の変化を温血被験者について光学的に測定するための装置であって、
a．被験者の皮膚を照射して被験者の移動する赤血球（RBCs）により部分的又は完全にコヒーレントな光を散乱させ、散乱光時間依存性光学応答を誘導するように構成されたダイオードレーザ又はVCSEL、
ｂ．誘導された散乱光時間依存性光学応答を表現する電気シグナルを生成するように構成された光検出器、及び
ｃ．次のように構成される電子回路：
i．散乱光光学応答表現電気シグナル又はその導出シグナルを処理し、これより１つ又は複数の血液せん断速度表現（BSRD）シグナルを計算し、各BSRDシグナルは対応する周波数選択プロファイルによって特徴付けられ、
ii.BSRDシグナル群のBSRDシグナルの特性を電子的に解析し、
iii．少なくとも２つの周波数間隔固有せん断速度表現シグナルの電子的解析の結果に従って、次の被験者状態分類操作： 
Ａ．被験者のストレス状態（例えば、ストレス要因のタイプ又はストレスのレベル）の分類、
Ｂ．被験者のムード状態の分類、
Ｃ．被験者のストレス耐性の分類、
Ｄ．被験者の心血管の適合性状態の分類
のうち少なくとも１つを行い、
前記BSRD（s）シグナルの周波数選択プロファイルが動的に計算され、予め定められたBSRD内の非拍動性生理学的シグナルの顕著性を適応的に最大にし、及び／又は
分類操作を動的に実行し、BSRDシグナルに割り当てられた重みを付けを行い、分類操作を動的に実行することを含み、BSRDシグナルに割り当てられた重みがBSRDシグナルの重みを増加させるように適応的に決定され、当該BSRDシグナルは、その周波数選択プロファイルが所定の非拍動性生理学的シグナルのより大きな顕著性に対応しているBSRDシグナルの重み付けの値で、その周波数選択プロファイルが所定の非拍動性生理学的シグナルのより大きな顕著性に対応している、装置。
【請求項１０】
状態及び／又はステータス情報又はその中の変化を温血被験者について光学的に測定するための装置であって、
a．被験者の皮膚を照射して被験者の移動する赤血球（RBCs）により部分的又は完全にコヒーレントな光を散乱させ、散乱光時間依存性光学応答を誘導するように構成されたダイオードレーザ又はVCSEL、
ｂ．誘導された散乱光時間依存性光学応答を表現する電気シグナルを生成するように構成された光検出器、及び
ｃ．電子回路であって、以下：
i．散乱光光学応答表現電気シグナル又はその導出シグナルを処理し、これより１つ又は複数の血液せん断速度表現（BSRD）シグナルを計算し、各BSRDシグナルは対応する周波数選択プロファイルによって特徴付けられ、
ii.BSRDシグナル群のBSRDシグナルの特性を電子的に解析し、
iii．周波数間隔特異的せん断速度表現シグナルの電子的解析の結果に従って、状態及び／又はステータス情報又はその変化を解析結果から計算すること、
を含むように構成され、
Ａ．BSRDシグナルの周波数選択プロファイルが動的に計算され、BSRD（s）内の所定の非拍動性生理学的シグナルの顕著性を適応させて最大にすることを含み、及び／又は
Ｂ．状態及び／又はステータス情報の計算を動的に実行することを含み、これによりBSRDシグナルに割り当てられた重みがBSRDシグナルの重みを増加させるように適応的に決定され、当該BSRDシグナルは、その周波数選択プロファイルが所定の非拍動性生理学的シグナルのより大きな顕著性に対応しているBSRDシグナルの重み付けの値で、その周波数選択プロファイルが所定の非拍動性生理学的シグナルのより大きな顕著性に対応している、装置。
【請求項１１】
状態及び／又はステータス情報又はその中の変化を温血被験者について光学的に測定するための装置であって、
a．被験者の皮膚を照射して被験者の移動する赤血球（RBCs）により部分的又は完全にコヒーレントな光を散乱させ、散乱光時間依存性光学応答を誘導するように構成されたダイオードレーザ又はVCSEL、
ｂ．誘導された散乱光時間依存性光学応答を表現する電気シグナルを生成するように構成された光検出器、
ｃ．電子回路であって、以下：
i．散乱光光学応答表現電気シグナル又はその導出シグナルを処理し、これより１つ又は複数の血液せん断速度表現（BSRD）シグナルを計算し（各BSRDシグナルは対応する周波数選択プロファイルによって特徴付けられ）、
ii．BSRDシグナル群のBSRDシグナルの特性を電子的に解析して、BSRD内の生理学的シグナルの顕著性を定量化し（BSRDは、メイヤー波、神経原性シグナル及び筋原性を含む群から選択される）、
iii．顕著性の定量化の結果から、状態及び／又はステータス情報又はその変化を計算すること、を実行するように構成されている電子回路、
を含む、装置。
【請求項１２】
状態及び／又はステータス情報又はその中の変化を温血被験者について光学的に測定するための装置であって、
a．被験者の皮膚を照射して被験者の移動する赤血球（RBCs）により部分的又は完全にコヒーレントな光を散乱させ、散乱光時間依存性光学応答を誘導するように構成されたダイオードレーザ又はVCSEL、
ｂ．誘導された散乱光時間依存性光学応答を表現する電気シグナルを生成するように構成された光検出器、及び
ｃ．電子回路であって、以下：
i．散乱光光学応答表現電気シグナル又はその導出シグナルを処理し、これより非拍動性血液せん断速度表現（BSRD）シグナルを計算し（各BSRDシグナルは対応する周波数選択プロファイルによって特徴付けられ）、
ii．非拍動性BSRDシグナルをBSRDシグナルの静止/非静止状態を定量化する確率論的解析又は静止状態解析に供し、
iii．確率論的及び／又は非静止状態解析の結果から状態及び／又はステータス情報又はその中の変化を計算すること、を実行するように構成される電子回路、
を含む装置。
【請求項１３】
状態及び／又はステータス情報又はその中の変化を温血被験者について光学的に測定するための装置であって、
a．被験者の皮膚を照射して被験者の移動する赤血球（RBCs）により部分的又は完全にコヒーレントな光を散乱させ、散乱光時間依存性光学応答を誘導するように構成されたダイオードレーザ又はVCSEL、
ｂ．誘導された散乱光時間依存性光学応答を表現する電気シグナルを生成するように構成された光検出器、及び
ｃ．電子回路であって、以下：
i．散乱光光学応答表現電気シグナル又はその導出シグナルを処理し、これよりBSRDシグナル群から選択される少なくとも２つ又は少なくとも３つ又は少なくとも４つの血液せん断速度表現（BSRD）シグナルを計算し（各血液速度表現BSRDシグナルは異なる周波数選択プロファイルにより特徴付けられ、当該BSRDシグナル群は次のシグナルを含む：（i）[sub２００Hz、〜３００Hz]BSRDシグナル;（ii）[〜３００Hz、〜１０００Hz]BSRDシグナル;（iii）[〜１０００Hz、〜４０００Hz] BSRDシグナル、及び（iv）[〜４０００Hz、zHz]（z> = ７,０００）BSRDシグナル）、
ii．BSRDシグナル群の少なくとも２つ又は少なくとも３つ又は少なくとも４つのBSRDシグナルの特性を電子的に解析し、
iii．少なくとも２つ又は少なくとも３つ又は少なくとも４つのBSRDシグナルを電子的に解析した結果に従って、状態及び／又はステータス情報又はその中の変化を計算すること、を実行するように構成される電子回路、
を含む装置。